(57)【要約】   連続的に移動する対象物（３）を走査する走査装置を制御する方法には、移動する対象物（３）の実際の瞬時位置を把握することと、画像情報が走査機構（６）によって取り込まれる時点または期間を、対象物（３）の実際の瞬時位置に従って、制御することとが含まれている。この方法が使用される走査装置には、移動する対象物（３）の移動方向に互いに隣接するように配置された多数のライン走査機構（６）が含まれている。ライン走査機構の各々は、対象物（３）が移動する経路を横断する方向に互いに隣接するように配置された多数のピクセルを備えている。ライン走査機構のピクセルは、入射光の量に従って電荷を蓄積する。個々のピクセルに蓄積された各電荷を、移動する対象物（３）の移動の方向と速度とに合わせて、隣接するライン走査機構内のピクセルに転送するための制御手段（７）が設けられる。対象物（３）は光源（４）によって照光、或いは、透光される。
2009540710.tif 000002
【特許請求の範囲】
【請求項１】
連続的に移動する対象物（３）を走査する走査装置を制御する方法であって、
前記走査装置には、前記移動する対象物（３）の移動方向に互いに隣接するように配置された多数のライン走査機構（６）が設けられており、
前記ライン走査機構の各々が、前記対象物（３）が移動する経路を横断する方向に互いに隣接するように配置された多数のピクセルを備えており、
前記ライン走査機構の前記ピクセルが入射光の量に従って電荷を蓄積し、
個々のピクセルに蓄積された各電荷を、前記移動する対象物（３）の移動の方向と速度とに合わせて、隣接するライン走査機構内のピクセルに転送するための制御手段（７）が設けられており、
前記対象物が光源（４）によって照光、或いは、透光され、
特徴として、
前記移動する対象物の実際の瞬時位置が把握され、画像情報が前記走査機構によって取り込まれる時点または期間が、前記対象物の前記実際の瞬時位置に従って、制御される、前記方法。
【請求項２】
特徴として、画像情報が前記走査機構によって取り込まれる時点または期間の制御には、画像情報を表す個々のピクセルの電荷を、前記対象物（３）の前記実際の瞬時位置に従って、隣接するライン走査機構に転送することが含まれる、請求項１に記載方法。
【請求項３】
特徴として、前記光源（４）が、開始と持続時間とが前記対象物（３）の前記瞬時位置に従って制御される光パルスを生成する、請求項１または請求項２に記載の方法。
【請求項４】
特徴として、前記光パルスの前記開始と前記持続時間が、前記光源（４）の光度に従って制御される、請求項３に記載の方法。
【請求項５】
特徴として、前記光パルスの前記開始と前記持続時間が、前記ライン走査機構のピクセルを完全に露光するのに必要な光量に従って、制御される、請求項３または請求項４に記載の方法。
【請求項６】
移動する対象物（３）の移動方向に互いに隣接するように配置された多数のライン走査機構（６）を有し、前記移動する対象物を走査する走査装置であって、
前記ライン走査機構が、互いに隣接するように配置された多数のピクセルを備え、
前記ライン走査機構が、前記対象物が移動する経路を横断するように配置されており、
前記ライン走査機構が、入射光の量に従って電荷を蓄積し、
前記蓄積された電荷を、前記移動する対象物（３）の方向と速度とに合わせて、隣接するライン走査機構に転送するための制御手段（７）が設けられており、
前記対象物が光源（４）によって照光、或いは、透光され、
特徴として、
前記移動する対象物の実際の瞬時位置を把握する手段（９）が設けられており、
前記瞬時位置が、前記電荷の隣接するライン走査機構への転送を制御する前記手段（７）に供給され、
前記移動方向に互いに隣接するように配置された、隣接するライン走査機構のピクセルが、前記対象物の実質的に同一の場所（ｌｏｃａｔｉｏｎ）から来る光を蓄積する、前記走査装置。
【請求項７】
特徴として、前記移動する対象物の実際の位置を把握する前記手段（９）が、前記対象物（３）の少なくとも一部分について固定された位置にある前記対象物（３）の特徴となるものを走査する光学的または機械的なスキャナである、請求項６に記載の走査装置。
【請求項８】
特徴として、前記光源（４）が光パルスを供給し、また、前記対象物（３）の前記実際の瞬時位置に従って、前記光パルスの開始と持続時間とを制御する制御手段（８）が設けられている、請求項６または請求項７に記載の走査装置。
【請求項９】
特徴として、前記ライン走査機構（６）の各ピクセルが有する少なくとも１つの有効寸法が、これらのピクセルによってそれぞれ走査されるべき前記対象物（３）上の各領域の対応寸法よりも小さい、請求項６、請求項７または請求項８に記載の走査装置。
【請求項１０】
特徴として、前記走査機構（６）がＴＤＩ−ＣＣＤセンサである、請求項６から請求項９のうちの何れかの請求項に記載の走査装置。
【請求項１１】
特徴として、前記対象物（３）がフィルムまたはテープのような媒体である、請求項６から請求項９のうちの何れかの請求項に記載の走査装置。
【発明の詳細な説明】
【技術分野】
【０００１】
本発明は、画像を取り込むＴＤＩ−ＣＣＤイメージ・センサに沿って送られる画像保持媒体の動きに合わせて該イメージ・センサを制御する方法に関する。
【背景技術】
【０００２】
走査対象フィルムの連続送り手段を備えたフィルム・スキャナでは、ライン・センサを使用して画像を走査（スキャン）する。センサに沿って送られるフィルムをライン毎に走査することによって、走査画像が生成される。走査画像の所望の解像度に従って、所定数の互いに隣接する走査ラインが、走査画像の写像を形成する。１ラインを走査するのに使用できる最長時間は、所定時間でセンサに沿って送られるフレームの数と各々のフレーム内で走査されるラインの数、即ち、走査の所望の解像度とによって決まる。イメージ・センサが受けるべき所望の光レベルを得るのに必要な集積時間（ｉｎｔｅｇｒａｔｉｏｎ  ｔｉｍｅ）は、フィルムを照光する、或いは、透光するのに使用される光の量を増やすことによって、短縮できることがある。理想のフィルム・スキャナでは、フィルムを透光するのに使用できる光の量が非常に多く、その結果、集積時間をゼロに近い値までに短縮することが可能である。この場合、集積時間は、フィルムが１ラインの走査高さ（ｓｃａｎｎｉｎｇ  ｈｅｉｇｈｔ）を移動するのに必要な時間のほんの数分の１にしか過ぎないため、走査画像の鮮鋭度（ｓｈａｒｐｎｅｓｓ）は最大限度にまで増大されることになる。現実には、フィルムを照光する、或いは、透光するのに使用される光の量を必要な程度まで増やすことがいつも可能であるとは限らないので、ＴＤＩ−ＣＣＤセンサ構成を使用することによって、光の使用効率を改善することができる。ＴＤＩ−ＣＣＤセンサ構成では、多数のＣＣＤラインが互いに平行に配置されている。個々のＣＣＤラインは、フィルムを横断するように配置されている。各々のＣＣＤセル内の電荷は、フィルム送り速度と同期してフィルム送り方向にラインからラインへと次々に転送される。この結果、走査画像内の１つのピクセルに対応しているフィルム上の各々の領域は、走査画像内のその１つのピクセルの値を表している総電荷に何倍も寄与することになる。換言すれば、走査画像内の１つのピクセルに対応しているフィルム上の各々の領域は、より長い時間に亘って効果的に露光されることになる。しかし、ＴＤＩ−ＣＣＤセンサに於けるフィルム位置に関連する感光領域に対するフィルムの非同期移動、即ち、ジッタが生じることに因り、いくらかのスミアが現れて、従って、走査画像の実効解像度が低下することがある。
【０００３】
図１は、ＴＤＩ−ＣＣＤイメージ・センサを使用した従来技術のフィルム・スキャナの一例を示す概略図である。制御回路１が、フィルム３を矢印の方向に送る各駆動モータ２を制御する。光源４がフィルム３をＴＤＩ−ＣＣＤイメージ・センサ６上に透光する。制御回路１は設定速度に対応する信号を制御回路７に供給し、制御回路７は、ＴＤＩ−ＣＣＤイメージ・センサ６の１ラインに蓄積された電荷が該速度に従ってフィルム送り方向に隣接ラインへ移動するように制御する。しかし、この設定速度は、例えば駆動モータに於ける変動摩擦やフィルムの巻き取りリール及び供給リールに於ける製造公差に因って、必ずしも実際の速度に一致するとは限らない。
【０００４】
従って、ＴＤＩ−ＣＣＤの原理に従って動作するフィルム・スキャナに於いて、解像度を上げることが望ましい。
【発明の概要】
【０００５】
本発明に従う方法は、連続的に移動する対象物を走査する走査装置の制御に応用される。該走査装置には、移動する対象物の移動方向に互いに隣接するように配置された多数のライン走査機構が設けられている。ライン走査機構の各々は、対象物が移動する経路を横断する方向に互いに隣接するように配置された多数のピクセルを備えている。ライン走査機構のピクセルは、入射光の量に従って、電荷を蓄積する。個々のピクセルに蓄積された各電荷を、移動する対象物の移動の方向と速度とに合わせて、隣接するライン走査機構内のピクセルに転送するための制御手段が設けられている。対象物は、光源によって照光、或いは、透光される。本発明の方法に従えば、移動する対象物の実際の瞬時位置が把握され、画像情報が走査機構によって取り込まれる時点または期間が、対象物の実際の瞬時位置に従って、制御される。
【０００６】
本発明の一実施形態では、画像情報が走査機構によって取り込まれる時点または期間の制御には、画像情報を表す個々のピクセルの電荷を、対象物の実際の瞬時位置に従って、隣接するライン走査機構に転送することが含まれる。
【０００７】
本発明の別の一実施形態では、開始と持続時間とが対象物の瞬時位置に従って制御される光パルスを生成する光源が設けられている。
【０００８】
本発明の一実施形態では、光パルスの開始と持続時間とだけが対象物の瞬時位置に従って制御されるが、別の一実施形態では、電荷の１ＣＣＤラインから次の隣接ＣＣＤラインへの転送も対象物の瞬時位置に従って制御される。
【０００９】
一実施形態では、光パルスの開始と持続時間は、光源が発する光パルスの強度に従って制御される。
【００１０】
別の一実施形態では、光パルスの開始と持続時間は、ライン走査機構のピクセルを完全に露光するのに必要な光量に従って制御される。これにより、センサのダイナミック・レンジが十分に活用され得る。フィルムの一部が完全に透明である場合、或いは、対象物の一部が完全に反射するものである場合、光パルスを較正して、センサのプロパティをフィルム、或いは、対象物のプロパティに整合させることも可能である。
【００１１】
走査画像の解像度を上げるために、センサの画像セルに入射する光の集積に使用される時間を、光の可能最大量に応じて、短縮する。また、ライン相互間に於けるジッタを低減するには、電荷が集積される時間を実際のフィルム位置に従って制御することを推奨する。
【００１２】
フィルムが連続的に照射される場合、フィルム位置が検知され、電荷を１ＣＣＤラインから次のＣＣＤラインへ転送する最適な時間が決定される。このようにして、フィルム位置に従って光集積期間が設定される。フィルムがパルス光源によって照射される場合、集積時間の開始も実際のフィルム位置に基づいて決定される。
【００１３】
両場合の何れでも、各ＴＤＩ−ＣＣＤセルに於ける電荷とフィルム上のそれぞれの割り当て領域との間には定まった相関関係があるようにする。
【００１４】
フィルム位置は、光学的または機械的なセンサ・システムによって、特定しても良い。本発明の好ましい一実施形態では、フィルムの実際の位置は、安定性に関するエラーを補正するために設けられた手段から取得される。この安定性に関するエラーを補正するために設けられた手段は、フィルム上の画像に対して固定された空間関係を有するフィルム上のマークを使用する。
【００１５】
連続的なフィルム送りの速度に於ける一時的な変化は、それに応じて、電荷が１ＣＣＤラインから次のＣＣＤラインへ転送される時間を変えることによって、補償する必要がある。
【００１６】
フィルムがパルス光源によって照射される場合、パルスの持続時間は、互いに隣接する走査領域間の重複を最小限にするために、できるだけ短く選定する必要がある。
【００１７】
電荷が転送される時点を変える代わりに、フィルムがパルス光源によって照射される時点を変えることも可能である。
【００１８】
フィルム送りと完全に同期した非常に短い理想的な光パルスの場合、ライン相互間に重複は生じず、送り方向に連続するＣＣＤセルに於いて、個々のＣＣＤセルは、フィルム上の正に同一のスポットの光を集積することによって、その特定のスポットについて集積された光の総量に寄与する。
【図面の簡単な説明】
【００１９】
【図１】ＴＤＩ−ＣＣＤイメージ・センサを使用した従来技術のフィルム・スキャナの一例を示す概略図である。
【図２】本発明に従うフィルム・スキャナの一例を示す概略図である。
【図３】本発明のフィルム・スキャナの一実施形態を示す概略図である。
【図４】フィルムを横断するように配置されたＣＣＤイメージ・センサの１ラインを示す概略図である。
【図５】センサ素子の露光を概略的に示す図である。
【発明を実施するための形態】
【００２０】
図２は、本発明に従うフィルム・スキャナの一例を示す概略ブロック図である。従来技術から周知のように、第１の制御回路１が、走査対象のフィルム３を矢印の方向に送る各駆動モータ２の速度を制御する。光源４がフィルム３をＴＤＩ−ＣＣＤイメージ・センサ装置６上に透光する。従来技術とは異なり、フィルム速度及び／又はフィルム位置検知手段９が設けられている。このフィルム速度及び／又はフィルム位置についての情報が、第２の制御回路８に供給される。この第２の制御回路８は、フィルム速度についての情報を、速度制御用のフィードバックとして、第１の制御回路１に供給する。更に、フィルム速度及び／又はフィルム位置についての情報が、第３の制御回路７に供給され、この制御回路７は、ＴＤＩ−ＣＣＤイメージ・センサ装置６に於ける露光と、該ＴＤＩ−ＣＣＤイメージ・センサ装置６に集積される電荷の１ラインから隣接ラインへの転送とを制御する。
【００２１】
フィルム速度及び／又はフィルム位置検知手段９は、例えば、フィルム上のスプロケット・ホールを走査するセンサ装置である。このフィルム速度及び／又はフィルム位置検知手段９には、フィルムと機械的に係合して、速度及び／又は位置についての情報を供給するローラが含まれていても良い。一般に、移動対象物の実際の位置を把握する手段には、少なくともその対象物の一部について固定された位置を有するその対象物の特徴となるものを走査する光学的または機械的なスキャナが含まれる。
【００２２】
図３には、図２で説明した実施形態と本質的に一致する本発明のフィルム・スキャナの一実施形態が示されている。しかしながら、この実施形態に於いて、光源４はパルス光源である。光源４が発する光パルスの開始と持続時間は、第２の制御回路８によって、フィルム３の速度及び／又は位置についての情報に応じて、制御される。
【００２３】
一定でないフィルム送り速度の影響について、図４を参照しつつ、説明する。この図では、簡単に理解し易くするため、フィルムを横断するように配置されたＣＣＤイメージ・センサの１ラインのみが示されている。以下に説明する影響は、例えばＴＤＩ−ＣＣＤイメージ・センサと同様に、個々のイメージ・センサのうち、多数の平行ラインから成るＣＣＤイメージ・センサにも当て嵌まることは明らかである。
【００２４】
図４ａ）には、フィルム送り方向に互いに隣接するように配置されたフィルム上の各ピクセルを表す一定数の正方形の領域「ａ」から「ｌ」が示されている。フィルム送り速度が完全に一定であるような理想的な場合、各ピクセルは、フィルムを横断するように配置されたＣＣＤイメージ・センサのラインに対して、同じ長さを有することになる。ＣＣＤイメージ・センサの１ラインは、「ｆ」で示される正方形領域を横断する破線ボックス１０で表されている。フィルム送りの方向は、左から右に向いた矢印によって示されている。
【００２５】
図４ｂ）では、フィルム送りの速度は、一定ではなく、即ち、時間と共に変化する。この場合、フィルム上の１ピクセルを表す各々の個別の正方形領域の仮想的な（ｖｉｒｔｕａｌ）の長さは、ＣＣＤイメージ・センサの１ラインを通過する際の瞬時的な送り速度によって決まる。これは、図４ｂ）に於いて、互いに異なる長さを有する各矩形領域によって示されている。送り速度が一定でない結果、各々の個別のピクセルについて、イメージ・センサに当たる光の集積に使用される時間が異なる。
【００２６】
図４ａ）と図４ｂ）とは、垂直方向に互いに整列して示されている。両図では、同数のピクセル、即ち、それらピクセルを表す矩形領域が、ＣＣＤイメージ・センサの１ラインに沿って通過する。図４ａ）と図４ｂ）に於いて通過する各ピクセルのトータルの長さは等しい。従って、平均フィルム送り速度は同じである。ＣＣＤセンサが撮像する時点をこの平均速度に基づいて計算する場合、その結果は、送り速度が完全に一定であれば、受け入れられ得ることになる。例えば、図４ａ）に於いて「ｆ」の符号が付された正方形領域について示されているように、ピクセルの中央で撮像することが求められる。図４ａ）と図４ｂ）の両方に於ける平均フィルム送り速度が等しいので、イメージ・センサが撮像する時点は同じである。図４ｂ）から判るように、撮像は、「ｆ」の符号が付されたピクセルの中央で行われるのではなく、「ｆ」と「ｇ」の符号が付された各ピクセル相互間の移行期に行われる。この図に示されているように、イメージ・センサは、「ｇ」の符号が付されたピクセルの一部をも取り込んでいる。この結果、走査画像の鮮鋭度が極端に低下することがあり得る。
【００２７】
ＴＤＩ−ＣＣＤイメージ・センサを前提とすれば、万一、電荷転送がフィルム送りと同期していない場合、走査画像の鮮鋭度の低下は更に悪化することになる。この場合、送り速度に推定同期（ｐｒｅｓｕｍｅｄ  ｓｙｎｃｈｒｏｎｉｓｍ）してイメージ・センサのラインからラインへと次々に転送される電荷は、フィルム上の常時同一のピクセルによって生成されるのではなく、フィルム上の様々なピクセルによって生成され得ることになる。
【００２８】
本発明に従うフィルム・スキャナでは、実際の瞬時的なフィルム送り速度が特定され、従って、１つのピクセルを表すフィルム上の各々の領域の位置が特定される。図４ｃ）に示されているように、本発明に従うフィルム・スキャナは、集積時間の開始と終了とを制御することによってフィルム速度の変動を補償し、また、ＴＤＩ−ＣＣＤイメージ・センサの場合、フィルム上のピクセルを表す領域内の所望の位置で常時撮像されるように集積電荷のイメージ・センサ素子の隣接ラインへの転送を制御することによってフィルム速度の変動を補償する。
【００２９】
図４に示されている矩形のセンサ領域は、理解し易くする目的だけで使用されている。この図に示されているように矩形の形状をしたセンサ領域を使用することは考えられるが、殆どのイメージ・センサは、走査されるフィルム上のピクセルのサイズを有する正方形センサ領域を成している。露光が微量でないために、最少量のスミアが現れることがある。このスミアは、次に続くピクセルに属する領域がセンサの領域に入る時に、生じる。たとえ電荷がフィルム送りに同期して転送される時でも、常時照射の場合はセンサの露光が、電荷転送期間中、絶え間なく続くために、その電荷には、所望のピクセルとそれに続くピクセルとからの画像情報が含まれることがある。しかし、ＴＤＩ−ＣＣＤイメージ・センサに於いて、電荷転送が適切に同期することによって、隣接する各ピクセルの重複（ｏｖｅｒｌａｐ）が低減される。例えば非常に高い光度を有する非常に短い光パルスを用いて露光期間を極小にすれば、最少量のスミアが更に低減される。
【００３０】
本発明の一実施形態では、電荷集積と電荷転送が、実際の瞬時フィルム送り速度に同期化される。これにより、常に、フィルム上のピクセルを表す領域内の所望の位置でＣＣＤ素子に電荷を集積することが可能になる。ＴＤＩ−ＣＣＤイメージ・センサの場合、フィルム上のピクセルを表す領域がＣＣＤイメージ・センサの隣接ラインの走査範囲に実際に入ろうとしている時に、電荷がその隣接ラインに単に転送される。
【００３１】
本発明の別の一実施形態では、フィルムを照光、或いは、透光するのに使用される光源はパルス光源である。この場合、フィルムを照光、或いは、透光するために発せられる光パルスは、実際の瞬時送り速度に同期してトリガされても良い。この場合、フィルム上のピクセルを表す領域がイメージ・センシング装置に対して所望の位置にある時のみ、フィルムを照光することが可能である。２つのパルスの相互間で光源が光を発することがないため、２つのパルスの相互間でＣＣＤイメージ・センシング素子に電荷が集積されることはない。その結果として、走査画像に寄与することを意図しないフィルム上の領域から電荷が集積されることはない。ＴＤＩ−ＣＣＤイメージ・センサの場合、電荷は、光源の２つのパルス相互間の期間中、イメージ・センシング素子の隣接ラインに転送されても良い。
【００３２】
ライン走査機構の各ピクセル、即ち、各センサ素子の少なくとも１つの有効寸法は、その各ピクセルによって走査されるべき対象物上のそれぞれの領域の対応寸法よりも小さいことがある。例えば、対象物を横断する方向に於けるセンサ素子の幅は、センサ・ラインの長さと所望の解像度とによって決まることがある。フィルム送り方向に於けるライン・センサのセンサ素子の寸法は、他方の寸法よりも小さい、或いは、走査対象物上の領域よりも小さいことがある。このように、正方形ピクセルではなく矩形ピクセルがセンサ装置に使用される。これは、図５に概略的に示されている。図５に於いて、走査すべきフィルム上の領域は、細切れ線で切取られた正方形領域として表されている。完全な領域は１つだけ示され、これと共に、フィルム送り方向に垂直な方向に位置する隣接領域の一部が２つ示されている。送り方向は矢印で示されている。図５ａ）に於いて、センサ素子の露光は、走査すべき領域の中央でトリガされる。センサ素子が取り込む領域、即ち、アクティブな領域は、白色の矩形領域で表されている。この領域は、非常に短い、閃光のような露光か、或いは、比較的長い露光の何れでも取り込むことができる。前者の場合、白色領域はセンサ素子のサイズに相当し、後者の場合、センサ素子の方がフィルム送り方向で小さい。図５ｂ）は、露光のトリガの時間的偏移を示している。ここでは、露光は遅れてトリガされる、即ち、１ピクセルが走査対象領域の中心をもう少しで通過しようとする所から後に露光がトリガされる。このように、走査対象領域に関して、センサの露光がトリガされる位置について、ある程度の自由度が実現される。これは、例えば、パルス光源を使用する際に有益となり得る。
【００３３】
上述の説明では、簡単明瞭にするため、フィルム上に取り込まれた画像が正方形のピクセルから構成されているものとした。しかし、実際の映写フィルムは、正方形ピクセル構造を有してはいない。しかし、フィルム・スキャナの解像度とイメージ・センサの個々の感光素子のデザインに従って、イメージ・センサの１素子は、イメージ・センサの個々の素子のデザインに応じて形付けられたフィルム上の領域の画像を取得する。上述の説明は、一例として、イメージ・センサの正方形に形付けられた素子について、従って、正方形に形付けられたピクセルについて、為されたが、上述の原理は、１ラインに、或いは、多数の互いに平行なラインに配置された個々のイメージ・センシング素子を有する任意のイメージ・センサに適用されることは明らかである。
【００３４】
本発明を、フィルムが透光されるフィルム・スキャナについて、説明したが、本発明の原理が、フィルムに対して配置されたセンサと同じ側から、走査対象フィルムを照光するフィルム・スキャナに適用することも考えられる。更に、本発明の原理は、ＴＤＩ−ＣＣＤセンサ装置を使用し、且つ、該センサ装置に沿って対象物が移動する任意の走査装置に適用できる。
【００３５】
上述の本発明の原理は、ＣＭＯＳ型のイメージ・センサに適用することも可能である。例えば、フィルム幅全体に伸延し、一定数のピクセルがフィルム送り方向に配置されたＣＭＯＳイメージャ・ピクセル・アレイを使用できる。この場合、全画像が、ＣＭＯＳイメージャによってフィルム送りに同期して取り込まれる。フィルムが、ピクセル長に相当する距離だけ、移動する度に、新たな全画像が取り込まれる。フィルムの位置が判り、全画像の各々が取り込まれる時点も判るので、全画像の各々をフィルム上の各ピクセルに明確に割り当てることができる。同様に、撮像イメージャのピクセルの各々をフィルム上の１領域に明確に割り当てることが出来る。ＴＤＩ−ＣＣＤイメージ・センサに於けるように蓄積電荷をラインからラインへと次々に転送するのではなく、フィルム上の同一領域に属する続けて取り込まれた各画像のそれぞれのピクセルを後で加算する。この加算は、アナログ領域で、例えば各キャパシタ内に於いて行うことができ、或いは、デジタル領域で、サンプリング及びアナログ・デジタル変換の後に行うこともできる。フィルムの各コンテンツは、時間の経過により変化することはないので、移動に因る鮮鋭度の低下、即ち、ブラー（ｂｌｕｒ：エッジ部のボケ）は生じない。本発明のこの実施形態は、特に、パルス光源との使用に適している。
【図１】
2009540710.tif 000003
【図２】
2009540710.tif 000004
【図３】
2009540710.tif 000005
【図４】
2009540710.tif 000006
【図５】
2009540710.tif 000007
【国際調査報告】
2009540710.tif 000008
2009540710.tif 000009
2009540710.tif 000010